(57)【要約】【課題】  走行機体の後部に苗植付け装置を昇降自在に連結した田植機において、後輪によって後方に向けて上下広く飛散された泥が苗植付け装置の各部に付着堆積することを防止する。【解決手段】  苗植付け装置６の前方に、走行機体３の後輪２によって後方に飛散された泥を受け止める泥除けカバー５５を苗植付け装置下部から後輪軸心ｘの上方相当個所に亘って配備し、この泥除けカバー５５と、苗植付け装置６に往復横移動可能に装備された苗のせ台８とを一体形成してある。【選択図】        図１
2008109878.tif 000002
【特許請求の範囲】
【請求項１】
走行機体の後部に苗植付け装置を昇降自在に連結した田植機において、
前記苗植付け装置の前方に、走行機体の後輪によって後方に飛散された泥を受け止める泥除けカバーを苗植付け装置下部から後輪軸心の上方相当個所に亘って配備し、この泥除けカバーと、苗植付け装置に往復横移動可能に装備された苗のせ台とを一体形成してあることを特徴とする田植機。
【請求項２】
走行機体の後部に苗植付け装置を昇降自在に連結した田植機において、
前記苗植付け装置の前方に、走行機体の後輪によって後方に飛散された泥を受け止める泥除けカバーを苗植付け装置下部から後輪軸心の上方相当個所に亘って配備し、この泥除けカバーを、苗植付け装置に往復横移動可能に装備された苗のせ台に連結するとともに、泥除けカバーに、苗のせ台を背面から支持する支持部を一体形成してあることを特徴とする田植機。
【請求項３】
走行機体の後部に苗植付け装置を昇降自在に連結した田植機において、
前記苗植付け装置の前方に、走行機体の後輪によって後方に飛散された泥を受け止める泥除けカバーを苗植付け装置下部から後輪軸心の上方相当個所に亘って配備し、この泥除けカバーを、苗植付け装置に往復横移動可能に装備された苗のせ台と共に移動可能に構成するとともに、泥除けカバーの上端部に、前記苗のせ台の上端に連なる延長苗のせ台部分を一体形成してあることを特徴とする田植機。
【請求項４】
走行機体の後部に苗植付け装置を昇降自在に連結した田植機において、
前記苗植付け装置の前方に、走行機体の後輪によって後方に飛散された泥を受け止める泥除けカバーを苗植付け装置下部から後輪軸心の上方相当個所に亘って配備し、この泥除けカバーに、液体あるいは粉粒体を収容するタンクを一体形成してあることを特徴とする田植機。
【請求項５】
走行機体の後部に苗植付け装置を昇降自在に連結した田植機において、
前記苗植付け装置の前方に、走行機体の後輪によって後方に飛散された泥を受け止める泥除けカバーを苗植付け装置下部から後輪軸心の上方相当個所に亘って配備し、この泥除けカバーに、走行機体がわから送られてきた肥料あるいは薬剤などの散布剤を苗植付け装置の所定個所に導く案内管路を一体形成してあることを特徴とする田植機。
【請求項６】
前記泥除けカバーを樹脂材のブロー成形により構成してある請求項１〜５のいずれか一項に記載の田植機。
【発明の詳細な説明】
【技術分野】
【０００１】
本発明は、走行機体の後部に苗植付け装置を昇降自在に連結した田植機に関する。
【背景技術】
【０００２】
田植機においては、水田内での走行中に後輪によって後方に飛散された泥が苗植付け装置に付着堆積することが多い。そこで、例えば、特許文献１に示されているように、後輪の直後方に位置する整地フロートの前部上方に泥除けカバーを配備して、整地フロートに泥が付着堆積することを防止し、整地フロートが付着堆積した泥の重量で不当に沈下して田面の泥押しが多くなることを回避するよう構成したものが知られている。
【特許文献１】特開平８−３０８３３４号公報
【発明の開示】
【発明が解決しようとする課題】
【０００３】
上記構造では後輪の直後方に位置する整地フロートへの泥の付着堆積を防止することはできるが、土質および走行速度によっては泥が泥除けカバーを越えて上方にまで広く飛散して、苗植付け装置における機体前方に臨む各部に付着することがあり、摺動部に泥が付着して磨耗が早められたり、作動抵抗が大きくなって駆動負荷が増大しやすくなるものであった。また、苗植付け装置の細部にまで泥が付着することで、植付け作業後の洗浄に多大な労力と時間を要するものであった。
【０００４】
本発明は、このような点に着目してなされたものであって、後輪によって後方に向けて上下広く飛散された泥が苗植付け装置の各部に付着堆積することを防止することを主たる目的としている。
【課題を解決するための手段】
【０００５】
第１の発明は、走行機体の後部に苗植付け装置を昇降自在に連結した田植機において、
前記苗植付け装置の前方に、走行機体の後輪によって後方に飛散された泥を受け止める泥除けカバーを苗植付け装置下部から後輪軸心の上方相当個所に亘って配備し、この泥除けカバーと、苗植付け装置に往復横移動可能に装備された苗のせ台とを一体形成してあることを特徴とする。
【０００６】
上記構成によると、田面近くから後輪軸心の上方までを広く覆い、後輪によって上下に広く飛散された泥が苗植付け装置の前面露出部位に付着堆積することが阻止される。
泥除けカバーが苗のせ台と一体に往復横移動することで、飛散した泥が泥除けカバーの特定箇所に集中することがなく、往復横移動する泥除けカバーに分散して受け止められることになり、泥除けカバーに付着した泥が後輪の直後方位置を中心にして左右に分散して落下し、泥が塊となって落下することが少ない。
【０００７】
従って、第１の発明によると、後輪によって後方に向けて上下広く飛散された泥が苗植付け装置に付着堆積することを確実に防止することができ、摺動部に泥が付着して磨耗が早められたり、作動抵抗が大きくなって駆動負荷が増大するようなことを未然に回避することができる。苗植付け装置の細部にまで泥が付着することがなくなり、植付け作業後の洗浄も容易となる。
苗のせ台と一体化されて泥除けカバーが往復横移動するので、後輪からの泥を左右に分散して受け止めて、塊の少ない状態で田面に落下させることができ、落下した泥が苗植付け装置の下部に配備された整地フロートによる整地作用に悪影響を及ぼすことがなく、良好な整地跡に植え付けを行うことができる。
泥除けカバーと苗のせ台とを例えば樹脂材などで一体形成することで、部品点数および組み立て工数を減らしてコスト低減を図る効果も期待できる。
【０００８】
第２の発明は、走行機体の後部に苗植付け装置を昇降自在に連結した田植機において、
前記苗植付け装置の前方に、走行機体の後輪によって後方に飛散された泥を受け止める泥除けカバーを苗植付け装置下部から後輪軸心の上方相当個所に亘って配備し、この泥除けカバーを、苗植付け装置に往復横移動可能に装備された苗のせ台に連結するとともに、泥除けカバーに、苗のせ台を背面から支持する支持部を一体形成してあることを特徴とする。
【０００９】
上記構成によると、田面近くから後輪軸心の上方までを広く覆い、後輪によって上下に広く飛散された泥が苗植付け装置の前面露出部位に付着堆積することが阻止される。
泥除けカバーが苗のせ台と共に往復横移動することで、飛散した泥が泥除けカバーの特定箇所に集中することがなく、往復横移動する泥除けカバーに分散して受け止められることになり、泥除けカバーに付着した泥が後輪の直後方位置を中心にして左右に分散して落下し、泥が塊となって落下することが少ない。
【００１０】
苗のせ台を背面から支持する支持部を泥除けカバーと一体形成するので、別部材の支持部が不要となり（別部材の支持部を備えたとしても、少数でよくなり）、部品点数の節減および苗のせ台支持構造の簡素化を図ることができる。泥除けカバーに一体形成した支持部は、泥除けカバー自体の剛性を高める補強部材としても機能させることができる。
【００１１】
従って、第２の発明によると、後輪によって後方に向けて上下広く飛散された泥が苗植付け装置に付着堆積することを確実に防止することができ、摺動部に泥が付着して磨耗が早められたり、作動抵抗が大きくなって駆動負荷が増大するようなことを未然に回避することができる。苗植付け装置の細部にまで泥が付着することがなくなり、植付け作業後の洗浄も容易となる。
苗のせ台に連結された泥除けカバーが往復横移動するので、後輪からの泥を左右に分散して受け止めて、塊の少ない状態で田面に落下させることができ、落下した泥が苗植付け装置の下部に配備された整地フロートによる整地作用に悪影響を及ぼすことがなく、良好な整地跡に植え付けを行うことができる。
苗のせ台を背面から支持する支持部を泥除けカバーと一体形成することで、苗のせ台支持構造の簡素化によってコスト低減を図ることができるとともに、支持部の補強機能によって大きい泥除けカバーを機械的耐久性の高いものに構成できる。
【００１２】
第３の発明は、走行機体の後部に苗植付け装置を昇降自在に連結した田植機において、
前記苗植付け装置の前方に、走行機体の後輪によって後方に飛散された泥を受け止める泥除けカバーを苗植付け装置下部から後輪軸心の上方相当個所に亘って配備し、この泥除けカバーを、苗植付け装置に往復横移動可能に装備された苗のせ台と共に移動可能に構成するとともに、泥除けカバーの上端部に、前記苗のせ台の上端に連なる延長苗のせ台部分を一体形成してあることを特徴とする。
【００１３】
上記構成によると、田面近くから後輪軸心の上方までを広く覆い、後輪によって上下に広く飛散された泥が苗植付け装置の前面露出部位に付着堆積することが阻止される。
泥除けカバーが苗のせ台と共に往復横移動することで、飛散した泥が泥除けカバーの特定箇所に集中することがなく、往復横移動する泥除けカバーに分散して受け止められることになり、泥除けカバーに付着した泥が後輪の直後方位置を中心にして左右に分散して落下し、泥が塊となって落下することが少ない。
泥除けカバーの上端部に、苗のせ台の上端に連なる延長苗のせ台部分を一体形成するので、泥除けカバー全体が上下に大きいものとなり、後輪から後方高くまで飛散された泥を確実に泥除けカバーで受け止めることができる。
【００１４】
従って、第３の発明によると、後輪によって後方に向けて上下広く飛散された泥が苗植付け装置に付着堆積することを確実に防止することができ、摺動部に泥が付着して磨耗が早められたり、作動抵抗が大きくなって駆動負荷が増大するようなことを未然に回避することができる。苗植付け装置の細部にまで泥が付着することがなくなり、植付け作業後の洗浄も容易となる。
苗のせ台と共に泥除けカバーが往復横移動するので、後輪からの泥を左右に分散して受け止めて、塊の少ない状態で田面に落下させることができ、落下した泥が苗植付け装置の下部に配備された整地フロートによる整地作用に悪影響を及ぼすことがなく、良好な整地跡に植え付けを行うことができる。
苗のせ台の上端に連なる延長苗のせ台部分を泥除けカバーの上端部に一体形成するので、専用の延長苗のせ台を不要にしてコスト低減を図ることができるとともに、泥除けカバーで苗植付け装置の最上端まで覆うことができ、一層泥除け効果の高いものとすることができる。
【００１５】
第４の発明は、走行機体の後部に苗植付け装置を昇降自在に連結した田植機において、
前記苗植付け装置の前方に、走行機体の後輪によって後方に飛散された泥を受け止める泥除けカバーを苗植付け装置下部から後輪軸心の上方相当個所に亘って配備し、この泥除けカバーに、液体あるいは粉粒体を収容するタンクを一体形成してあることを特徴とする。
【００１６】
上記構成によると、田面近くから後輪軸心の上方までを広く覆い、後輪によって上下に広く飛散された泥が苗植付け装置の前面露出部位に付着堆積することが阻止される。
泥除けカバーに一体形成したタンクに肥料や薬剤を入れて、植付け作業と同時に施肥あるいは薬剤散布を行うことができる。
【００１７】
従って、第４の発明によると、後輪によって後方に向けて上下広く飛散された泥が苗植付け装置に付着堆積することを確実に防止することができ、摺動部に泥が付着して磨耗が早められたり、作動抵抗が大きくなって駆動負荷が増大するようなことを未然に回避することができる。苗植付け装置の細部にまで泥が付着することがなくなり、植付け作業後の洗浄も容易となる。
液体あるいは粉粒体を収容するタンクを泥除けカバーに一体形成するので、専用のタンクを要することなく、（専用のタンクを備えたとしても、大きな専用のタンクを備える必要がなく）、植付け作業と同時に施肥あるいは薬剤散布を行う仕様の田植機を低コストで構成することができる。
【００１８】
第５の発明は、走行機体の後部に苗植付け装置を昇降自在に連結した田植機において、
前記苗植付け装置の前方に、走行機体の後輪によって後方に飛散された泥を受け止める泥除けカバーを苗植付け装置下部から後輪軸心の上方相当個所に亘って配備し、この泥除けカバーに、走行機体がわから送られてきた肥料あるいは薬剤などの散布剤を苗植付け装置の所定個所に導く案内管路を一体形成してあることを特徴とする。
【００１９】
上記構成によると、田面近くから後輪軸心の上方までを広く覆い、後輪によって上下に広く飛散された泥が苗植付け装置の前面露出部位に付着堆積することが阻止される。
走行機体がわから送られてきた肥料あるいは薬剤などの散布剤を苗植付け装置の所定個所に導く案内管路を泥除けカバーに一体形成するので、泥除けカバーを苗植付け装置に装着するだけで案内管路の設置を行うことができる。
【００２０】
従って、第５の発明によると、後輪によって後方に向けて上下広く飛散された泥が苗植付け装置に付着堆積することを確実に防止することができ、摺動部に泥が付着して磨耗が早められたり、作動抵抗が大きくなって駆動負荷が増大するようなことを未然に回避することができる。苗植付け装置の細部にまで泥が付着することがなくなり、植付け作業後の洗浄も容易となる。
肥料あるいは薬剤などの散布剤を苗植付け装置の所定個所に導く案内管路を泥除けカバーに一体形成するので、専用の案内管路の製作および組み付けが不要となり（専用の案内管路の製作および組み付けを行うとしても、小規模でよくなって）、コスト低減と組み立て工数の節減を図ることができる。
【００２１】
第６の発明は、上記第１〜５のいずれか一つの発明において、
前記泥除けカバーを樹脂材のブロー成形により構成してあるものである。
【００２２】
上記構成によると、ブロー成形は外金型だけを用いるので、内金型と外金型を必要とする射出成形に比べて金型コストを低く抑えることができ、第１〜５のいずれか一つの発明の上記効果をもたらすとともに、低コストで泥除けカバーを製作することができる。
【発明を実施するための最良の形態】
【００２３】
図１に、本発明に係る施肥装置付き仕様に構成された乗用型の田植機が示されている。この田植機は６条植え仕様に構成されたものであって、前輪１および後輪２を備えて四輪駆動式に構成された走行機体３の後部に、油圧シリンダ４で駆動される平行四連リンク構造の昇降リンク機構５が装備され、この昇降リンク機構５の後端下部に苗植付け装置６が前後向き支点ｐ周りにローリング自在に連結支持されるとともに、走行機体３の後部に施肥装置７が搭載された構造となっている。
【００２４】
前記苗植付け装置６は、６条分のマット状苗を載置して一定ストロークで往復横移動される苗のせ台８、この苗のせ台８の下端から１株分づつ苗を切り出して田面Ｔに植え付けてゆく６組の回転式の植付け機構９、田面Ｔの植付け箇所を均平化するよう並列配備された３個の整地フロート１０、次行程の走行基準線を田面Ｔに形成する左右一対のマーカ１１、等が備えられている。
【００２５】
苗植付け装置６における前側下部にはアルミ材を押し出し成型してなる左右に長い角筒状の植付けフレーム１２が装備され、この植付けフレーム１２が前記昇降リンク機構５の後端下部にフィードケース１３を介してローリング自在に連結されている。植付けフレーム１２の左右中央付近に、走行機体３からの動力を受けるフィードケース１３が連結されるとともに、植付けフレーム１２の後面の左右４箇所に植付けケース１４が後向き片持ち状に連結され、各植付けケース１４の後端部に貫通横架された植付け駆動軸１５の左右両端に前記植付け機構９が装着されている。
【００２６】
植付け機構９には、前記植付け駆動軸１５の端部に連結固定されて植付け駆動軸１５と一体回転する回転ケース１６と、この回転ケース１６における両端部の横外側に横軸心回りに自転可能に軸支された爪ケース１７とが備えられており、各爪ケース１７に植付け爪１８と苗押し出し具１９が装備されている。
【００２７】
回転ケース１６が植付け駆動軸１５によって前進回転方向（図１において反時計方向）に定速で１回転されるのに連動して、爪ケース１７が回転ケース１６に内装された不等速ギヤ伝動機構（図示せず）によって逆方向に不等速で１回転自転され、これによって、植付け爪１８が、苗のせ台８の下端の苗取出し口と田面Ｔとに亘る縦長の先端回動軌跡Ｓを描いて循環移動するようになっている。植付け爪１８が苗のせ台８の下端から切り出し保持した苗を、田面Ｔに持ち込む時点で苗押し出し具１９が爪先側に突出作動して、保持した苗を植付け爪１８から分離して地中に押込むように構成されている。
【００２８】
図３，図４に示すように、植付けケース１４の上方箇所には苗のせ台８の下端部を左右スライド自在に受け止め支持する摺動レール２１が横架されている。この摺動レール２１は、ガイドロッド２２を介して苗のせ台８の傾斜方向に変位可能に支持されており、摺動レール２１を位置調節して苗のせ台８を先端回動軌跡Ｓに対して上下移動させることで、植付け爪１８による苗取出し量を変更調節することが可能となっている。摺動レール２１の位置調節には、支点ａ周りに揺動操作される苗取り量調節レバー２３が用いられ、揺動調節した苗取り量調節レバー２３を、植付けフレーム１２に備えたレバーガイド２４のノッチ２５に係止することで、摺動レール２１を任意の調節位置に固定保持するよう構成されている。
【００２９】
植付けケース１４の前部下方にはフロート支点軸２６が横水平に配備され、このフロート支点軸２６から後方に向けて突設された３組のフロート支持アーム２７の後端に前記整
地フロート１０が支点ｂ周りにそれぞれ上下揺動可能に連結支持されている。フロート支点軸２６と一体に支点ｃ周りに揺動自在なフロート支持アーム２７は、フロート支点軸２６から前方上方に延出された植付け深さ調節レバー２８によって揺動操作されるようになっており、フロート支持アーム２７を上方に移動させることで植付け爪１８の先端回動軌跡Ｓが田面Ｔに対して下がって植付け深さが深くなり、フロート支持アーム２７を下方に移動させること前記先端回動軌跡Ｓが田面Ｔに対して上がって植付け深さが浅くなる。植付け深さ調節レバー２８は前記レバーガイド２４のノッチ２９に係止して任意の調節位置に固定保持することができる。
【００３０】
前記フィードケース１３には走行機体３から取り出された作業用動力が伸縮伝動軸３０を介して伝達され、このフィードケース１３に伝達された動力で苗のせ台８が横送り駆動されるとともに、そのストロークエンドごとに苗のせ台８に備えた苗送りベルト３１が一定ピッチづつ送り駆動される。フィードケース１３から取り出された横軸動力が各植付けケース１４の前部に入力されるようになっている。
【００３１】
植付けフレーム１４の左右からは支柱３２が立設され、その支柱３２に亘って架設固定された横フレーム３３に複数のガイドローラ３４が備えられ、これらガイドローラ３４が苗のせ台８の上部背面に横架連結された案内フレーム３５に係合され、前倒れ姿勢に維持された苗のせ台８の上部が左右移動可能、上下移動可能に受け止め支持されている。
【００３２】
前記昇降リンク機構５の後端上方には、ローリング駆動装置４０が設けられている。このローリング駆動装置４０から左右横外方に導出された操作ワイヤ４１と前記横フレーム３３の左右箇所とに亘って緩衝バネ４２が架設され、電動モータ４３によって左右の操作ワイヤ４１を背反的に出し入れ操作することで、苗植付け装置６の全体が前後向き支点ｐ周りに駆動揺動されるようになっている。ローリング駆動装置４０は、苗植付け装置６の左右傾斜を検知する図示されていない傾斜センサに連係されており、走行機体３が耕盤の起伏や凹凸によって左右傾斜して苗植付け装置６が追従傾斜すると、これが傾斜センサで検知されて電動モータ４３が作動制御され、苗植付け装置６が左右水平姿勢まで復帰制御されるようになっている。なお、ローリング駆動装置４０と苗植付け装置６との間には緩衝バネ４２が架設されているので、ローリング駆動装置４０が作動休止状態でも苗植付け装置６は緩衝バネ４２を変形させながら自由ローリング作動することが可能であり、走行機体３が多少の左右傾斜しても苗植付け装置６は田面Ｔに接地追従する。
【００３３】
昇降リンク機構５の後端上部と苗のせ台背部の案内フレーム３５の左右箇所に亘ってバランスバネ３６が張設されている。苗のせ台８が横移動すると、その移動方向と反対側のバランスバネ３６が伸ばされて、バネ張力によるローリング力が苗植付け装置６に付加され、苗のせ台８の横移動による重量バランスの変化で苗植付け装置６が傾斜することが自動的に防止されるようになっている。
【００３４】
マーカー１１は、起伏揺動可能に植付けフレーム１２の左右端部に装着されており、横外方に張出した作用姿勢と起立された格納姿勢とに切換え揺動可能に支持されるとともに、電動モータ４４の正逆作動によって前記両姿勢の切換えがなされるように構成されている。
【００３５】
前記施肥装置７は、その主部が走行機体３の後部に配備された運転座席２０と前記苗植付け装置６との間において走行機体３に搭載されており、粉粒状の肥料を貯留する肥料ホッパ４６、この肥料ホッパ４６内の肥料を繰り出す回転式の送り出し機構４７、繰り出された肥料を供給ホース４８を介して苗植付け装置６の各整地フロート１０に備えた作溝器４９に風力搬送する電動ブロワ５０、電動ブロワ５０からの搬送風を２条単位で並列配備された３個の送り出し機構４７に分配供給する送風ダクト５１、などを備えている。
【００３６】
上記のように構成された苗植付け装置６の前部には、後輪２から後方に跳ね上げられた泥を受け止める泥除けカバー５５が配備されており、そのいくつかの例を以下に説明する。
【００３７】
〔第１例〕
図１〜図８に、第１例の泥除けカバー６０を備えた実施例が示されている。この例の泥除けカバー５５は、樹脂材をブロー成形して前記苗のせ台８と一体に形成されている。苗のせ台８と泥除けカバー５５とを一体化したブロー成形直後の成形素材Ａは、図６に示すように、苗のせ台８における２条分の幅で略平面状に成形されており、図７に示すように、苗のせ台８と泥除けカバー５５との中間箇所に形成された薄肉部ｅで山形に折り曲げて、両者の上下方向適所をステー５６で連結することで、図８に示すように、苗のせ台８と泥除けカバー５５を上端で折り曲げ姿勢に連結した構造体が得られるようになっている。例示した６条植え仕様の苗植付け装置６においては、３枚の成形素材Ａを左右に並列連結して６条分の横幅を持った苗のせ台８が構成されることになるが、３枚の成形素材Ａのうちの中央のものは、泥除けカバー５５が薄肉部ｅにおいて切断除去され、昇降リンク機構５や苗取り量調節レバー２３、植付け深さ調節レバー２８を挿通する空間が形成される。
【００３８】
整地フロート１０が最も下方に位置調節された最浅植え状態においても、泥除けカバー５５の下端がその後方に位置する左右の整地フロート（サイドフロート）１０の上端と略同高さ、好ましくは整地フロート１０の上端より低い位置に位置するよう構成され、泥除けカバー５５の下端と整地フロート１０との間から泥が後方に飛散することが防止されている。
【００３９】
泥除けカバー５５の適所には後加工で開口５７が形成され、この開口５７に前記供給ホース４８が挿通される。供給ホース４８は、泥除けカバー５５の開口５７への挿通部位において苗のせ台８の往復横移動に伴って左右に振られることになるので、供給ホース４８は、この横振れを吸収するに足りる余裕長さを持った可撓性のものが使用される。
前記開口５７を苗のせ台８の横移動ストロークに近い横長に形成すれば、供給ホース４８を横振れなく、あるいは、横振れ少なく挿通することができる。
【００４０】
〔第２例〕
図９〜図１１に、第２例の泥除けカバー５５を備えた例が示されている。この例の泥除けカバー５５は苗のせ台８とは別体に樹脂材でブロー成形されて、苗のせ台８の上端部に連結されるとともに、上下中間部位においてステー５６で苗のせ台８に連結され、泥除けカバー５５が苗のせ台８と一体横移動可能に連結支持されている。泥除けカバー５５の上部には、苗のせ台８の上端に連なる延長苗のせ台部分５５ａが一体形成されており、この延長苗のせ台部分５５ａと苗のせ台８とに亘って２枚の苗が縦列状に積載可能となっている。
【００４１】
〔第３例〕
図１２，図１３に、第３例の泥除けカバー５５を備えた例が示されている。この例の泥除けカバー５５は苗のせ台８とは別体に樹脂材でブロー成形されて、苗のせ台８の上端部に連結されるとともに、上記第２例と同様に、苗のせ台８の上下中間部位に図示されていないステーで連結され、泥除けカバー５５が苗のせ台８と一体横移動可能に構成されている。泥除けカバー５５の背部には、苗のせ台８の背面に連結される横長レール状に形成された支持部５５ｂが一体形成され、この支持部５５ｂに、前記横フレーム３３に備えられたガイドローラ３４が係入されて、苗のせ台８が所定の前倒れ傾斜姿勢に支持されている。支持部５５ｂは、ローリング操作力が伝えられる前記バランスバネ３６の一端を連結する部材としての機能も備えている。
【００４２】
〔第４例〕
図１４〜図１６に、第４例の泥除けカバー５５を備えた例が示されている。この例の泥除けカバー５５は苗のせ台８とは別体に樹脂材でブロー成形されて、その上端部が苗植付装置６における前記横フレーム３３に連結固定されるとともに、泥除けカバー５５の下部が苗植付装置６における前記植付けフレーム１２に連結固定されている。泥除けカバー５５の上部には、除草剤などの液状の薬剤を貯留するタンク５８が前方に突出して一体形成され、このタンク５８から接続導出された供給管５９が、苗植付け装置６の後部に装備されたポンプ装置６０に接続され、タンク５８に貯留された薬剤が散布管６１を介して田面Ｔに滴下散布されるようになっている。
【００４３】
〔第５例〕
図１７〜図１９に、第５例の泥除けカバー５５を備えた例が示されている。この例の泥除けカバー５５は苗のせ台８とは別体に樹脂材でブロー成形されて苗のせ台８の背面近くに沿って配備され、泥除けカバー５５の上端部が前記横フレーム３３に連結固定されるとともに、泥除けカバー５５の下部が植付けケース１４などの固定部位に連結固定されている。
【００４４】
泥除けカバー５５には、肥料埋設用として前記整地フロート１０に装備された前記作溝器４９に接続される案内管路６２が一体形成されており、この案内管路６２の前端に、走行機体側の前記送り出し機構４７から導出された供給ホース４８が接続されている。作溝器４９には蛇腹部４９ａが備えられて案内管路６２の下端に接続されており、整地フロート１０の上下高さ調節に対応して蛇腹部４９ａが伸縮されるようになっている。
【００４５】
〔第６例〕
図２０に、第６例の泥除けカバー５５を備えた例が示されている。この例の泥除けカバー５５は苗のせ台８とは別体に樹脂材でブロー成形されて、その上下において苗植付装置６における前記横フレーム３３と植付けフレーム１２とに連結固定されている。泥除けカバー５５の上端部に、前後に変形しやすい薄肉部ｇが形成され、泥除けカバー５５全体が機体振動や動揺などによって前後に振動し、泥除けカバー５５の前面に付着した泥が落下されるようになっている。
【００４６】
〔第７例〕
図２１に、第７例の泥除けカバー５５を備えた例が示されている。この例の泥除けカバー５５は苗のせ台８とは別体に樹脂材でブロー成形されて、その下部が苗植付け装置６における前記植付けフレーム１２に連結支持されている。泥除けカバー５５の上端部が苗植付け装置６における前記横フレーム３３に装着した電動式の振動機構６３に連結されており、泥除けカバー５５全体が前後に駆動振動されて、泥除けカバー５５の前面に付着した泥が強制的に落下されるようになっている。
【００４７】
〔他の実施例〕
（１）図２２に示すように、樹脂材でブロー成形した泥除けカバー５５を昇降リンク機構５のアッパーリンク５ａとロアーリンク５ｂに亘って平行四連リンク状に枢支連結して実施することもできる。
【００４８】
（２）前記泥除けカバー５５を前記横フレーム３３と植付けフレーム１２に連結固定する構造の場合、固定された泥除けカバー５５の背部に、前記フィードケース１３から突出された回転軸（苗のせ台８を横送り駆動するネジ軸、苗のせ台８に備えられた苗送りベルトを駆動する苗送り駆動軸、など）を支承する軸支ボス部や、苗取り量調節レバー２３及び植付け深さ調節レバー２８の揺動支点を構成する支点ボス部を一体形成することも可能である。
【図面の簡単な説明】
【００４９】
【図１】第１例の泥除けカバーを装備した田植機の全体側面図
【図２】第１例の泥除けカバーを装備した苗植付け装置の前方正面図
【図３】第１例の泥除けカバーを装備した苗植付け装置の側面図
【図４】整地フロートおよび苗のせ台下端部の支持構造を示す側面図
【図５】第１例の泥除けカバーを装備した苗植付け装置の前方正面図
【図６】苗のせ台と第１例の泥除けカバーを一体形成した素材の斜視図
【図７】第１例の泥除けカバーの素材を折り曲げ加工した要部の縦断側面図
【図８】組み上げた苗のせ台と第１例の泥除けカバーの斜視図
【図９】第２例の泥除けカバーを装備した苗植付け装置の側面図
【図１０】第２例の泥除けカバーの上部と苗のせ台の上部との連結部を示す縦断側面図
【図１１】第２例の泥除けカバーの上部を示す正面図
【図１２】第３例の泥除けカバーの上部を示す縦断側面図
【図１３】第３例の泥除けカバーの上部を示す正面図
【図１４】第４例の泥除けカバーを装備した苗植付け装置の側面図
【図１５】第４例の泥除けカバーを装備した苗植付け装置の前方正面図
【図１６】第４例の泥除けカバーの一部を示す縦断側面図
【図１７】第５例の泥除けカバーを装備した苗植付け装置の側面図
【図１８】第５例の泥除けカバーを示す正面図
【図１９】第５例の泥除けカバーの横断平面図
【図２０】第６例の泥除けカバーを示す側面図
【図２１】第７例の泥除けカバーを示す側面図
【図２２】他の実施例の泥除けカバーを装備した苗植付け装置の側面図
【符号の説明】
【００５０】
２            後輪
３            走行機体
６            苗植付け装置
８            苗のせ台
５５          泥除けカバー
５５ａ        延長苗のせ台部分
５５ｂ        支持部
５８          タンク
６２          案内管路
ｘ            後輪軸心
【図１】
2008109878.tif 000003
【図２】
2008109878.tif 000004
【図３】
2008109878.tif 000005
【図４】
2008109878.tif 000006
【図５】
2008109878.tif 000007
【図６】
2008109878.tif 000008
【図７】
2008109878.tif 000009
【図８】
2008109878.tif 000010
【図９】
2008109878.tif 000011
【図１０】
2008109878.tif 000012
【図１１】
2008109878.tif 000013
【図１２】
2008109878.tif 000014
【図１３】
2008109878.tif 000015
【図１４】
2008109878.tif 000016
【図１５】
2008109878.tif 000017
【図１６】
2008109878.tif 000018
【図１７】
2008109878.tif 000019
【図１８】
2008109878.tif 000020
【図１９】
2008109878.tif 000021
【図２０】
2008109878.tif 000022
【図２１】
2008109878.tif 000023
【図２２】
2008109878.tif 000024